(57)【特許請求の範囲】
【請求項１】
天板と上部カウンターとキャビネットとを備えた、居室側とキッチン側とが対面しているキッチンキャビネットにおいて、天板がキャビネットの居室側の壁よりも居室側まで延びた延設部を有しており、上部カウンターと延設部の居室側の端に設けた立ち上がり部との間に、サポート部材を取付け可能なバックガードを設け、バックガードが、上端においてキッチン側に伸びる水平支持部を備えており、該水平支持部に上部カウンターが直接取り付けられていることを特徴とするキッチンキャビネット。
【請求項２】
請求項１に記載のキッチンキャビネットであって、水栓、浄水栓、ガス栓のいずれかが天板に取付けられ、延設部の下方に、水栓、浄水栓、ガス栓の配管を収納するための配管収納部が形成されていることを特徴とするキッチンキャビネット。
【請求項３】
請求項２に記載のキッチンキャビネットであって、配管収納部には浄水カートリッジが設置されていることを特徴とするキッチンキャビネット。
【請求項４】
請求項１から３に記載のキッチンキャビネットであって、延設部の下方に居室側の収納部が形成されていることを特徴とするキッチンキャビネット。
【請求項５】
請求項１に記載のキッチンキャビネットであって、延設部の下面が支持部材によってキャビネットに支持されており、延設部の下方が空間部とされていることを特徴とするキッチンキャビネット。
【発明の詳細な説明】
【技術分野】
【０００１】
本発明は、キッチンキャビネットに関し、特に対面式のキッチンのキッチンキャビネットに関する。
【背景技術】
【０００２】
対面式のキッチンは開放感があると共に居室側とのコミュニケーションが出来るという利点があり、近年、需要が伸びている。
【０００３】
ところで、従来、キッチンの天板をキャビネット奥に形成された腰壁部まで延設した構成が知られている（特許文献１参照）。また、キッチンの天板上に設けたバックガードにサポート品を取付けられるようにした構成が知られている（特許文献２参照）。
【先行技術文献】
【特許文献】
【０００４】
【特許文献１】特開平８−３０８６５３号公報
【特許文献２】実公昭６２−２２２０３号公報
【発明の概要】
【発明が解決しようとする課題】
【０００５】
対面式のキッチンは、開放感があると共に居室側とのコミュニケーションが出来る反面、天板の上に置いた物品が居室側から見えるという問題がある。また、天板の上方に上部カウンターを設けて、カウンターで物品を隠すことも出来るが、天板上を収納スペースとした場合、作業スペースが少なくなる。
【０００６】
また、天板上に設置される水栓、浄水栓、ガス栓等と接続される配管や浄水カートリッジ等は、従来は、キッチンキャビネットの本体内を通し、また収納する構成となっているが、そのために、キッチンキャビネットのキッチン側の収納スペースが小さくなるという問題があった。
【０００７】
本発明では、このような問題を解決することを目的とするものであり、上部カウンターにより、居室側から天板の上に置いた物品が見えないようにするとともに、上部カウンターと天板との間のスペースを収納のために有効に利用できるようにして、天板上に十分な作業スペースを維持するキッチンキャビネットを実現することを課題とする。
【課題を解決するための手段】
【０００８】
本発明上記課題を解決するために、天板と上部カウンターとキャビネットとを備えた、居室側とキッチン側とが対面しているキッチンキャビネットにおいて、天板がキャビネットの居室側の壁よりも居室側まで延びた延設部を有しており、上部カウンターと延設部の居室側の端に設けた立ち上がり部との間に、サポート部材を取付け可能なバックガードを設け、バックガードが、上端においてキッチン側に伸びる水平支持部を備えており、該水平支持部に上部カウンターが直接取り付けられていることを特徴とするキッチンキャビネットを提供する。
【０００９】
上記キッチンキャビネットでは、水栓、浄水栓、ガス栓のいずれかが天板に取付けられ、延設部の下方に、水栓、浄水栓、ガス栓の配管を収納するための配管収納部が形成されている構成としてもよい。
【００１０】
配管収納部には浄水カートリッジが設置されている構成としてもよい。
【００１１】
延設部の下方に居室側の収納部が形成されている構成としてもよい。
【００１２】
延設部の下面が支持部材によってキャビネットに支持されており、延設部の下方が空間部とされている構成としてもよい。
【発明の効果】
【００１３】
本発明によれば、 天板にキャビネットよりも奥まで延びた延設部を設け、延設部の上方に設けた上部カウンターと天板との間にサポート部材を取付け可能なバックガードを設けたので、作業スペース、天板上の収納スペース、キャビネット内の収納スペースを維持しつつ、居室側から天板上の収納物が見えるという不具合も解消できる。
【図面の簡単な説明】
【００１４】
【図１】本発明に係るキッチンキャビネットの実施例１の外観を示し、（ａ）はキッチン側から見た図であり、（ｂ）は居室側から見た図である。
【図２】実施例１の全体構成を説明する図である。
【図３】（ａ）は実施例１におけるバックガードの構造を示す断面図であり、（ｂ）、（ｃ）はバックがードに着脱可能に取り付けるサポート部材の一例を示す図であり、（ｄ）はサポート部材をバックがードに取り付けた状態を示す図である。
【図４】本発明に係るキッチンキャビネットの実施例２を説明する図であり、（ａ）は配管収納部の平面位置を説明する水平断面図であり、（ｂ）は配管収納部の収納部に給水用配管、浄水用配管、ガス用配管及び排水管を集積的に収納した状態を示す図である。
【図５】本発明に係るキッチンキャビネットの実施例２を説明する図であり、（ａ）は配管収納部に水栓に接続した水供給用配管を収納した構成を示し、（ｂ）は実施例２の変形例を説明する図であり、配管収納部の後方に居室側用の物品の収納部を設けた構成を示す。
【図６】本発明に係るキッチンキャビネットの実施例２を説明する図であり、配管収納部に、浄水栓に接続した浄水用配管及び浄水カートリッジを収納した構成を示す。
【図７】本発明に係るキッチンキャビネットの実施例２を説明する図であり、配管収納部に、ガス用配管を収納した構成を示す。
【図８】（ａ）は、本発明に係るキッチンキャビネットの実施例３の全体構成を説明する図であり、（ｂ）、（ｃ）は実施例３の変形例を説明する図である。
【発明を実施するための形態】
【００１５】
本発明に係るキッチンキャビネットを実施するための形態を実施例に基づき図面を参照して、以下説明する。
【実施例１】
【００１６】
図１〜３は、本発明に係るキッチンキャビネットの実施例１を説明する図であり、図１及び図２は、本発明に係るキッチンキャビネットの実施例１の全体的な構成を示す斜視図及び断面図である。このキッチンキャビネット１は、キャビネット２と、天板３と、上部カウンター４と、キッチン側の収納部５を備えており、居室側とキッチン側とが対面している対面式のキッチンキャビネットである。
【００１７】
キャビネット２は、左右の側壁７、底壁８、後壁９及び頂壁１０を備えており、この頂壁１０の上に、天板３が配設されている。天板３は、キャビネット２の後壁９よりもさらに居室側まで延びた延設部１２を有している。
【００１８】
天板３の延設部１２の後端には、図２及び図３（ｄ）に示すように、立ち上がり部１３が形成されている。この立ち上がり部１３は、天板３上についた水が後ろ側（キッチンの奥側）に流れてもせき止めするので、水を後記する居室側の収納部１６へしみ出さない、等の機能を奏する。
【００１９】
本発明のキッチンキャビネット１の場合は、延設部１２の後端上にバックガード１７の下端が当接するが、その当接部から水が後方へ入り込むおそれがある。しかし、本発明では、立ち上がり部１３を設けたので、水をせき止めて、バックガード１７と立ち上がり部１３との当接部１８から水が後方へ入りこむことを抑制する。
【００２０】
天板３の延設部１２の下方であって、キャビネット２の後壁９の背部には、居室側に面して空間部１９が形成されている。この実施例１では、この空間部１９は、本実施例１では、居室側の収納部１６として構成されており、居室側からの収納に利用される。
【００２１】
収納部１６は、左右の側板２１、背板２２、頂板２３、底板２４及び棚板２５等を備えている。本実施例１では、図１（ｂ）及び図２に示すように、収納部１６は、上部は棚収納部２８として形成されており、下部は横幅方向に３つの回転引出し２９（図２において、矢印のように回転して引き出す引出し）として形成されている。
【００２２】
図２及び図３（ｄ）に示すように、天板３の延設部１２の立ち上がり部１３の後方であって、キャビネット２の頂壁１０の後端に面して、頂板２３の上に構造部材として支持板３０が立設されている。支持板３０の後面には、居室側に面して化粧パネル３１が取り付けられている。
【００２３】
天板３の延設部１２の立ち上がり部１３の上に位置して、サポート部材３２を取付け可能なバックガード１７が支持板３０の前面に起立して取り付けられている。
【００２４】
本実施例１のバックガード１７は、アルミニウム等の材料で、全体的に断面略Г型に形成されている。図３（ａ）に示すように、前壁３５及び後壁３６を備え、上端には前方に伸びる水平支持部３８が形成され、バックガード１７の水平支持部３８の上に上部カウンター４が取り付けられている。
【００２５】
バックガード１７には、その前壁３５と後壁３６を橋絡するように上下方向に複数の補強用の水平リブ３９が形成されている。このバックガード１７には、その前面に、横幅方向に延びる凹部３７が形成されているとともに、取付け溝４２が形成されている。取付け溝４２は、前壁３５が図３（ａ）に示すように屈曲されて、下部の載置溝部４３と上部の係合溝部４４から一体の溝として形成されている。
【００２６】
バックガード１７は、その後壁３６の中段あたりに、横幅方向（長手方向）の複数箇所に間隔をおいてビス取り付け孔４０が形成されており、このビス取り付け孔４０にビス４１等を挿通して、支持板３０に固定される（図３（ｄ）参照）。バックガード１７は、バックガードを支持板３０に固定した後、弾力性を有する脚部を備えた長板状のビスカバー４５を、図３（ａ）に矢印で示すように、前壁３５の凹部３７に嵌め込んで、ビス４１を隠す。
【００２７】
サポート部材３２の一例を図３（ｂ）、（ｃ）に示す。このサポート部材３２は、小物物品の棚として利用されるものであり、例えば、線材で形成されている。サポート部材３２の左右基端に取付け部４６が設けられており、この取付け部４６に取付け用のフック４７が設けられている。
【００２８】
サポート部材３２は、その取付け部４６をバックガード１７の取付け溝４２に挿入して載置溝部４３に載置し、フック４７を係合溝部４４に係合する。これにより、サポート部材３２を、図３（ｄ）に示すように、上部カウンター４と延設部１２との間において、バックガード１７に着脱可能に水平に取り付けることができる。
【００２９】
このようにサポート部材３２を設けることによって、上部カウンター４と延設部１２との間のスペースを有効に利用できる。しかも、支持板３０と化粧パネル３１を設けることで、キッチン側と居室側は遮断されているので、居室側から天板３上においた物品等が見えることがない。
【００３０】
従って、実施例１のキッチンキャビネット１は、天板３上の作業スペース、天板３上の収納スペース、キャビネット２内の収納スペースを維持しつつ、居室側から天板３上においた物品やサポート部材３２の収納物が見えるという不具合も解消でき、さらに居室側に収納部１６を提供することが可能となる。
【実施例２】
【００３１】
図４〜７は、本発明に係るキッチンキャビネットの実施例２を説明する図である。この実施例２のキッチンキャビネット５１は、実施例１のキッチンキャビネット１とほぼ同じ構成である。以下の説明では、実施例２のキッチンキャビネット５１について、実施例１のキッチンキャビネット１とは相違する構成を中心に説明し、共通の部分は同じ符号を使用する。
【００３２】
実施例２のキッチンキャビネット５１は、図４（ａ）、（ｂ）に示すように、天板３の延設部１２の下方において後壁９の背部に、居室側に向けて、実施例１のキッチンキャビネット１と同様に収納部１６を有する。しかし、実施例２のキッチンキャビネット５１においては、実施例１のキッチンキャビネット１と異なり、収納部１６の横幅方向の一部の空間が、配管収納部として構成されている。
【００３３】
即ち、実施例２のキッチンキャビネット５１の収納部１６の一部は、水栓５４に接続される給水用配管５５、給湯用配管６６、浄水栓６０に接続される浄水用配管６１、ガス栓６８に接続されるガス用配管６９、及びシンク６４の排水栓に接続される排水用配管６５のいずれか１つ以上を収納するための配管収納部５２として構成されている。
【００３４】
なお、本明細書中では、排水用配管６５、浄水用配管６１、ガス用配管６９等の配管類を配管収納部５２に収納するとは、配管収納部５２内にしまい込むのではなく、配管収納部５２内を通す意味である。  
【００３５】
図４（ａ）、（ｂ）は、配管収納部５２内に、給水用配管５５、給湯用配管６６、浄水用配管６１、ガス用配管６９及び排水用配管６５の全てが収納されている構成を示す図である。配管収納部５２は、その内部が居室側から直接見えないように、しかも配管類の設置やメインテナンスができるように、開閉可能な扉５３が設けられている。
【００３６】
以下、それぞれの配管の収納について、図５〜７において説明する。図５において、天板３上には水栓５４が設けられており、この水栓５４に一端が接続された給水用配管５５及び給湯用配管６６が、配管収納部５２に配置されている。給水用配管５５及び給湯用配管６６の他端は、図示はしないが、底板２４及び建物の床板を通して、外部の湯水の供給配管に接続されている。なお、配管収納部５２には、底板を設けない構成としてもよい。
【００３７】
また、天板３上に水栓５４に加えて、図６に示すような浄水栓６０が設けられている場合には、配管収納部５２内には、給水用配管５５及び給湯用配管６６に加えて、浄水栓６０に一端が接続された浄水用配管６１及び浄水カートリッジ６２が配置されている。浄水カートリッジ６２の取水口には、給水用配管５５から分岐された取水用配管６３が接続されており、浄水カートリッジ６２の送水口には、浄水用配管６１に接続されている。
【００３８】
図７は、天板３に、例えば、ガス炊飯器等に使用されるガス栓６８が取り付けられており、このガス栓６８にガス用配管６９が接続されている。このようなガス用配管６９も、配管収納５２を通して設置してもよい。ガス用配管６９の他端は、図示はしないが、底板２４を通して、キッチンキャビネット５１の外部のガスの供給配管に接続されている。
【００３９】
従来のキッチンキャビネットでは、給水用配管、給湯用配管６６、浄水用配管、ガス用配管、排水管等の配管類は、キャビネットに設けられているキッチン側の収納部内を通して設置されている。また、浄水カートリッジは、天板上の浄水栓に付設されている構成もあるが、キッチン側の収納部内に収納している構成も多い。そのために、キッチン側から物品を収納するための空間が少なくなるという問題があった。
【００４０】
特に、給水用配管がシャワー付き水栓の場合、引き出すことのできる蛇腹ホースについては、通常の給水用配管と比べて、その収納のために、より大きなスペースが必要である。従って、従来のキッチンキャビネットのように、蛇腹ホースをキッチン側の収納部内を通すように設置すると、キッチン側の収納部の多くのスペースが給水用配管のために使用されてしまい、物品のための収納スペースがかなり少なくなってしまう。
【００４１】
しかしながら、実施例２のキッチンキャビネット５１では、給水用配管５５、給湯用配管６６、浄水用配管６１、ガス用配管６９、排水用配管６５、浄水カートリッジ６２等を、延設部１２の下方に設けた配管収納部５２内を通し、また収納することができるので、キッチン側の収納部５における収納空間が少なくなることはない。
【００４２】
また、シャワー付き水栓用の蛇腹ホースの収納であっても、配管用収納部５２内に余裕をもって収納できる。もちろん、居室側からみても、給水用配管５５、浄水用配管６１、ガス用配管６９、排水用配管６５、浄水カートリッジ６２等が見えないので、見栄えも悪くならない。
【００４３】
なお、図５（ｂ）は、実施例２の変形例を示す図である。この変形例のキッチンキャビネット５６は、実施例２のキッチンキャビネット５１と略同じ構成であるが、異なる構成は、配管収納部５７の後方に、さらに居室側に向けて物品の収納部５８が設けられている点である。配管収納部５７は、後方側に物品の収納部と区画し、かつ開閉可能な扉５９が設けられている。
【実施例３】
【００４４】
図８（ａ）は、本発明に係るキッチンキャビネットの実施例３の全体的な構成を示す図である。この実施例３のキッチンキャビネット７５は、実施例１のキッチンキャビネット１とほぼ同じ構成である。以下の説明では、実施例３のキッチンキャビネット７５について、実施例１のキッチンキャビネット１とは相違する構成を中心に説明し、共通の部分は同じ符号を使用する。
【００４５】
実施例３のキッチンキャビネット７５では、図８（ａ）に示すように、天板３の延設部１２の下面が支持部材７６によってキャビネット２に支持されており、延設部１２の下方において居室側に空間部１９が形成されている。
【００４６】
この空間部１９は、実施例１及び実施例２のキッチンキャビネット等とは異なり、特に、棚や引出し等のような物品の収納部、或いは給水用配管、浄水用配管、ガス用配管等の配管収納部としては構成されておらず、フリースペースとして残され、必要に応じて使用可能である。
【００４７】
このような空間部１９が設けられていると、居室側から見ると、上方のスペースに加えて下方のスペースも広まり、より開放感を与えることができる。また、空間部１９は、フリースペースとして居室側から、適宜、必要な家具や物を置いたりして、自由に利用することも可能となる。
【００４８】
図８（ｂ）、（ｃ）に実施例３の変形例のキッチンキャビネット７７を示す。図８（ａ）に示す実施例３のキッチンキャビネット７５は、延設部１２の下方の居室側は全て空間部１９としフリースペースとして残す構成である。しかし、変形例のキッチンキャビネット７７は、延設部１２の下方の居室側の大部分は、空間部１９としフリースペースとして残し、居室側の一部を収納スペースとして、例えば、実施例２と同様の配管収納部５２を設ける構成としている。
【００４９】
以上、本発明に係るキッチンキャビネットを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５０】
本発明に係るキッチンキャビネットは上記のような構成であるから、アイランドキッチン及びペニンシュラキッチンを含め対面式キッチンにきわめて有用である。
【符号の説明】
【００５１】
１  キッチンキャビネット
２  キャビネット
３  天板
４  上部カウンター
５  キッチン側の収納部
７  キャビネットの左右の側壁
８  キャビネットの底壁
９  キャビネットの後壁
１０  キャビネットの頂壁                                         
１２  延設部                                                     
１３  延設部の立ち上がり部                                       
１６  居室側の収納部                                             
１７  バックガード                                               
１８  延設部とバックガードとの当接部                             
１９  空間部                                                     
２１  居室側の収納部の左右の側板                                 
２２  居室側の収納部の背板                                       
２３  居室側の収納部の頂板                                       
２４  居室側の収納部の底板                                       
２５  居室側の収納部の棚板                                       
２８  居室側の収納部の棚収納部                                   
２９  居室側の収納部の回転引出し                                 
３０  バックガードの支持板                                       
３１  化粧パネル                                                 
３２  サポート部材                                               
３５  バックガードの前壁                                         
３６  バックガードの後壁 
３７  バックガードの前壁の凹部                                        
３８  バックガードの水平支持部                                   
３９  バックガードの水平リブ 
４０  バックガードの後壁のビス取り付け孔
４１  バックガード取付用のビス                                
４２  バックガードの取付け溝                                     
４３  取付け溝の載置溝部                                         
４４  取付け溝の係合溝部
４５  ビスカバー
４６  サポート部材の取付け部                                         
４７  サポート部材の取付け用のフック                             
５１  キッチンキャビネット                                       
５２  配管収納部                                         
５３  配管収納部の扉                                             
５４  水栓 
５５  給水用配管
５６  変形例のキッチンキャビネット
５７  変形例の配管収納部
５８  変形例の物品の収納部
５９  変形例の区画する扉
６０  浄水栓                                                     
６１  浄水用配管                                                 
６２  浄水カートリッジ
６３  取水用配管
６４  シンク
６５  排水用配管
６６  給湯用配管
６８  ガス栓                                                     
６９  ガス用配管                                                 
７５  キッチンキャビネット                                       
７６  支持部材
７７  変形例のキッチンキャビネット
【図１】
0005797943.tif 000002
【図２】
0005797943.tif 000003
【図３】
0005797943.tif 000004
【図４】
0005797943.tif 000005
【図５】
0005797943.tif 000006
【図６】
0005797943.tif 000007
【図７】
0005797943.tif 000008
【図８】
0005797943.tif 000009